(57)【要約】【課題】船主や協会が最新の正しい図面で設計内容を確認し承認することができる図面管理システムを提供する。【解決手段】図面管理システムは、船舶の設計に係る図面の出図に係る情報をマスタデータベースとして記憶する記憶部と、前記マスタデータベースの情報に基づいて前記図面を出図する出図処理部と、前記マスタデータベースの情報に基づいて前記図面について船主または協会の承認を受ける承認部と、を備える。【選択図】図１
2019018649.tif 000002
【特許請求の範囲】
【請求項１】
船舶の設計に係る図面の出図に係る情報をマスタデータベースとして記憶する記憶部と、
前記マスタデータベースの情報に基づいて前記図面を出図する出図処理部と、
前記マスタデータベースの情報に基づいて前記図面について船主または協会の承認を受ける承認部と、
を備える図面管理システム。
【請求項２】
前記記憶部は、
前記図面の出図に係る情報が更新される度に、更新された前記図面の出図に係る情報を前記マスタデータベースとして記憶し、
前記出図処理部は、
前記更新された前記図面の出図に係る情報を格納する前記マスタデータベースの情報に基づいて前記図面を出図し、
前記承認部は、
前記更新された前記図面の出図に係る情報を格納する前記マスタデータベースの情報に基づいて前記船主または前記協会の承認を受ける、
請求項１に記載の図面管理システム。
【請求項３】
前記承認部は、
前記船主の承認を受ける際に、前記船主の担当者の承認と当該担当者の上長の承認を受け、または、前記協会の承認を受ける際に、前記協会の担当者の承認と当該担当者の上長の承認を受ける、
請求項１または請求項２に記載の図面管理システム。
【請求項４】
前記承認部が前記船主または前記協会の承認を受けることができない場合に、前記船舶の再設計された図面について承認者の承認を受け付ける操作部、
を備える請求項１から請求項３の何れか一項に記載の図面管理システム。
【請求項５】
前記承認部が前記船主または前記協会の承認を受けることができない場合に、前記出図処理部が前記図面を出図する予定日を前記マスタデータベースに書き込む出図処理部、
を備える請求項１から請求項４の何れか一項に記載の図面管理システム。
【請求項６】
船舶の設計に係る図面の出図に係る情報をマスタデータベースとして記憶する記憶部を備える図面管理システムの制御方法であって、
前記マスタデータベースの情報に基づいて前記図面を出図することと、
前記マスタデータベースの情報に基づいて前記図面について船主または協会の承認を受けることと、
を含む図面管理システムの制御方法。
【請求項７】
船舶の設計に係る図面の出図に係る情報をマスタデータベースとして記憶する記憶部を備える図面管理システムのコンピュータに、
前記マスタデータベースの情報に基づいて前記図面を出図することと、
前記マスタデータベースの情報に基づいて前記図面について船主または協会の承認を受けることと、
を実行させるプログラム。
【発明の詳細な説明】
【技術分野】
【０００１】
本発明は、図面管理システム、図面管理システムの制御方法及びプログラムに関する。
【背景技術】
【０００２】
船舶の設計に係る図面は枚数や種類が多く、設計ミスを防ぐためにも図面の管理は重要である。
特許文献１には、関連する技術として、図面から部品表を迅速に生成し、図面とともに生産した部品表を生産部門などに提供する技術が記載されている。
【先行技術文献】
【特許文献】
【０００３】
【特許文献１】特開平６−１７６０８５号公報
【発明の概要】
【発明が解決しようとする課題】
【０００４】
ところで、船舶の設計に係る図面は印刷物として関連部署に送付され管理されることがある。しかしながら、船舶の設計に係る図面の枚数は多いため、特に、設計段階にあり図面の差し替えが頻繁に生じるような状況下では、最新の図面を印刷物で管理することは非常に困難である。したがって、設計の最終段階において船主や協会（保険会社）が誤った図面により設計内容を確認する可能性があり、最新の正しい図面で設計内容を確認し承認することは困難であった。
そのため、船主や協会が最新の正しい図面で設計内容を確認し承認することのできる技術が求められていた。
【０００５】
本発明は、上記の課題を解決することのできる図面管理システム、図面管理システムの制御方法及びプログラムを提供することを目的としている。
【課題を解決するための手段】
【０００６】
本発明の第１の態様によれば、図面管理システムは、船舶の設計に係る図面の出図に係る情報をマスタデータベースとして記憶する記憶部と、前記マスタデータベースの情報に基づいて前記図面を出図する出図処理部と、前記マスタデータベースの情報に基づいて前記図面について船主または協会の承認を受ける承認部と、を備える。
【０００７】
本発明の第２の態様によれば、第１の態様における図面管理システムにおいて、前記記憶部は、前記図面の出図に係る情報が更新される度に、更新された前記図面の出図に係る情報を前記マスタデータベースとして記憶し、前記出図処理部は、前記更新された前記図面の出図に係る情報を格納する前記マスタデータベースの情報に基づいて前記図面を出図し、前記承認部は、前記更新された前記図面の出図に係る情報を格納する前記マスタデータベースの情報に基づいて前記船主または前記協会の承認を受けてもよい。
【０００８】
本発明の第３の態様によれば、第１の態様または第２の態様における図面管理システムにおいて、前記承認部は、前記船主の承認を受ける際に、前記船主の担当者の承認と当該担当者の上長の承認を受け、または、前記協会の承認を受ける際に、前記協会の担当者の承認と当該担当者の上長の承認を受けてもよい。
【０００９】
本発明の第４の態様によれば、第１の態様から第３の態様の何れかにおける図面管理システムは、前記承認部が前記船主または前記協会の承認を受けることができない場合に、前記船舶の再設計された図面について承認者の承認を受け付ける操作部、を備えていてもよい。
【００１０】
本発明の第５の態様によれば、第１の態様から第４の態様の何れかにおける図面管理システムは、前前記承認部が前記船主または前記協会の承認を受けることができない場合に、前記出図処理部が前記図面を出図する予定日を前記マスタデータベースに書き込む出図処理部、を備えていてもよい。
【００１１】
本発明の第６の態様によれば、図面管理システムの制御方法は、船舶の設計に係る図面の出図に係る情報をマスタデータベースとして記憶する記憶部を備える図面管理システムの制御方法であって、前記マスタデータベースの情報に基づいて前記図面を出図することと、前記マスタデータベースの情報に基づいて前記図面について船主または協会の承認を受けることと、を含む。
【００１２】
本発明の第７の態様によれば、プログラムは、船舶の設計に係る図面の出図に係る情報をマスタデータベースとして記憶する記憶部を備える図面管理システムのコンピュータに、前記マスタデータベースの情報に基づいて前記図面を出図することと、前記マスタデータベースの情報に基づいて前記図面について船主または協会の承認を受けることと、を実行させる。
【発明の効果】
【００１３】
本発明の実施形態による図面管理システムによれば、船主や協会が最新の正しい図面で設計内容を確認し承認することができる。
【図面の簡単な説明】
【００１４】
【図１】本発明の一実施形態による図面管理システムの構成を示す図である。
【図２】本発明の一実施形態による第１端末装置の構成を示す図である。
【図３】本発明の一実施形態による第２端末装置の構成を示す図である。
【図４】本発明の一実施形態による第３端末装置の構成を示す図である。
【図５】本発明の一実施形態による図面管理装置の構成を示す図である。
【図６】本発明の一実施形態による第４端末装置の構成を示す図である。
【図７】本発明の一実施形態による第５端末装置の構成を示す図である。
【図８】本発明の一実施形態による第６端末装置の構成を示す図である。
【図９】本発明の一実施形態による図面管理システムの協議を行う場合の処理フローを示す第１の図である。
【図１０】本発明の一実施形態による図面管理システムの協議を行う場合の処理フローを示す第２の図である。
【図１１】本発明の一実施形態による図面管理システムの承認を行う場合の第１の処理フローを示す第１の図である。
【図１２】本発明の一実施形態による図面管理システムの承認を行う場合の第１の処理フローを示す第２の図である。
【図１３】本発明の一実施形態による図面管理システムの配布を行う場合の処理フローを示す図である。
【図１４】本発明の一実施形態による図面管理システムの承認を行う場合の第２の処理フローを示す図である。
【図１５】本発明の一実施形態による図面管理システムの協議を行う場合の処理を説明するための図である。
【図１６】本発明の一実施形態による図面管理システムの承認を行う場合の処理を説明するための第１の図である。
【図１７】本発明の一実施形態による図面管理システムの承認を行う場合の処理を説明するための第２の図である。
【図１８】本発明の一実施形態による図面管理システムの配布を行う場合の処理を説明するための第１の図である。
【図１９】本発明の一実施形態による図面管理システムの配布を行う場合の処理を説明するための第２の図である。
【図２０】本発明の一実施形態による図面管理システムのメインデータベースの記憶場所を説明するための図である。
【図２１】本発明の一実施形態による第４端末装置が表示する画面を説明するための第１の図である。
【図２２】本発明の一実施形態による第４端末装置が表示する画面を説明するための第２の図である。
【図２３】本発明の一実施形態による第４端末装置が表示する画面を説明するための第３の図である。
【図２４】本発明の一実施形態による第４端末装置が表示する画面を説明するための第４の図である。
【図２５】本発明の一実施形態による第４端末装置が表示する画面を説明するための第５の図である。
【図２６】本発明の一実施形態による第４端末装置が表示する画面を説明するための第６の図である。
【図２７】本発明の一実施形態による第４端末装置が表示する画面を説明するための第７の図である。
【図２８】本発明の一実施形態による第４端末装置が表示する画面を説明するための第８の図である。
【図２９】本発明の一実施形態による第４端末装置が表示する画面を説明するための第９の図である。
【図３０】本発明の一実施形態による第４端末装置が表示する画面を説明するための第１０の図である。
【図３１】本発明の一実施形態による第４端末装置が表示する画面を説明するための第１１の図である。
【図３２】少なくとも１つの実施形態に係るコンピュータの構成を示す概略ブロック図である。
【発明を実施するための形態】
【００１５】
＜実施形態＞
以下、図面を参照しながら実施形態について詳しく説明する。
本発明の一実施形態による図面管理システム１の構成について説明する。
【００１６】
本発明の一実施形態による図面管理システム１は、船舶を製造するための設計図面（船舶の設計に係る図面）を承認するためのシステムである。図面管理システム１は、図１に示すように、第１端末装置１０と、第２端末装置２０と、第３端末装置３０と、図面管理装置４０と、第４端末装置５０と、第５端末装置６０と、第６端末装置７０と、を備える。なお、図１には、ネットワークＮＷが示されている。
【００１７】
第１端末装置１０は、設計者が使用する装置である。第１端末装置１０は、設計者の人数に応じた必要数の装置が用意される。第２端末装置２０は、設計者の設計した船舶の設計図面（以下、「船舶設計図面」と記載）の承認を行う管理者が使用する装置である。第２端末装置２０は、管理者の人数に応じた必要数の装置が用意される。第３端末装置３０は、協議を行う協議関連部署、承認を行う承認関連部署、及び、承認済みの船舶設計図面の配布先である配布関連部署のそれぞれの担当者が使用する装置である。なお、承認関連部署には、同一部署の他課が含まれる。第３端末装置３０は、担当者の人数に応じた必要数の装置が用意される。第４端末装置５０は、営業担当者が使用する装置である。第４端末装置５０は、営業担当者の人数に応じた必要数の端末装置が用意される。第５端末装置６０は、船主または協会の担当者が使用する装置である。第５端末装置６０は、船主または協会の担当者の人数に応じた必要数の端末装置が用意される。第６端末装置７０は、船主または協会の担当者の上長が使用する装置である。第６端末装置７０は、船主または協会の担当者の上長の人数に応じた必要数の端末装置が用意される。
図面管理装置４０は、船舶設計図面を管理する装置である。第１端末装置１０は、設計者が入力した船舶設計図面を図面管理装置４０に送信する。図面管理装置４０は、船舶設計図面を記憶する。船舶設計図面の協議を行う場合、図面管理装置４０は、協議関連部署の第３端末装置３０に協議対象の船舶設計図面のリンク先の情報を送信する。また、船舶設計図面の承認を行う場合、図面管理装置４０は、承認を行う管理者の第２端末装置２０及び承認関連部署の第３端末装置３０に承認対象の船舶設計図面のリンク先の情報を送信する。また、承認済みの船舶設計図面の配布を行う場合、図面管理装置４０は、配布関連部署の第３端末装置３０に承認済みの船舶設計図面のリンク先の情報を送信する、または、図面管理装置４０は、印刷業者に対して、プロットされた船舶設計図面を配布関連部署に配送する指示を送信する。プロットされた船舶設計図面が印刷業者から配布関連部署に配送される。
また、図面管理装置４０は、承認済みの船舶設計図面のリンク先の情報を第４端末装置５０に送信する。第４端末装置５０は、船舶設計図面を確認すると、その船舶設計図面のリンク先の情報を第５端末装置６０に送信する。第５端末装置６０は、船舶設計図面を確認し、承認または否認の処理を行う。第６端末装置７０は、第５端末装置６０による承認または否認の処理結果を図面管理装置４０を介して第１端末装置１０に送信する。
第１端末装置１０、第２端末装置２０、第３端末装置３０のそれぞれは、例えば、パーソナルコンピュータである。また、図面管理装置４０は、例えば、サーバである。
【００１８】
第１端末装置１０は、図２に示すように、通信部１０１と、操作部１０２と、制御部１０３と、表示部１０４と、を備える。
通信部１０１は、図面管理装置４０と通信を行う。
操作部１０２は、外部からの操作に応じて、種々の情報の入力を受け付ける。例えば、操作部１０２は、設計者による操作に応じて、船舶設計図面やコメントなどの入力を受け付ける。
制御部１０３は、表示部１０４の表示を制御する。具体的には、例えば、制御部１０３は、船舶設計図面やコメントなどを表示部１０４に表示させる。
表示部１０４は、制御部１０３による制御の下、船舶設計図面やコメントなどを表示する。
【００１９】
第２端末装置２０は、図３に示すように、通信部２０１と、操作部２０２（第２承認部の一例）と、制御部２０３と、表示部２０４と、を備える。
通信部２０１は、図面管理装置４０と通信を行う。
操作部２０２は、外部からの操作に応じて、種々の情報の入力を受け付ける。例えば、操作部２０２は、管理者による操作に応じて、承認情報やコメントなどの入力を受け付ける。
制御部２０３は、表示部２０４の表示を制御する。具体的には、例えば、制御部２０３は、承認情報やコメントなどを表示部２０４に表示させる。
表示部２０４は、制御部２０３による制御の下、承認情報やコメントなどを表示する。
【００２０】
第３端末装置３０は、図４に示すように、通信部３０１と、操作部３０２と、制御部３０３と、表示部３０４と、を備える。
通信部３０１は、図面管理装置４０と通信を行う。
操作部３０２は、外部からの操作に応じて、種々の情報の入力を受け付ける。例えば、操作部３０２は、関連部署の担当者による操作に応じて、承認情報やコメントなどの入力を受け付ける。
制御部３０３は、表示部３０４の表示を制御する。具体的には、例えば、制御部３０３は、承認情報やコメントなどを表示部３０４に表示させる。
表示部３０４は、制御部３０３による制御の下、承認情報やコメントなどを表示する。
【００２１】
図面管理装置４０は、図５に示すように、通信部４０１と、図面取得部４０２と、記憶部４０３（候補記憶部）と、情報入力部４０４と、読出部４０５（候補読出部）と、選択部４０６と、通知部４０７と、閲覧判定部４０８と、異議受付部４０９と、図面配布部４１０（出図処理部）と、承認部４１１と、を備える。
【００２２】
通信部４０１は、第１端末装置１０、第２端末装置２０、第３端末装置３０のそれぞれと通信を行う。
図面取得部４０２は、第１端末装置１０から船舶設計図面の図面データを取得する。
【００２３】
記憶部４０３は、船舶の識別情報（以下、「船舶識別情報」と記載）と船舶設計図面とに関連付けて、船舶設計図面の種類、協議先候補の情報、承認先候補の情報、配布先候補の情報、設計者の氏名、設計者の所属部署、設計者の連絡先、回答期限、登録日を記憶する。協議先候補の情報は、協議候補である協議関連部署の担当者が使用する第３端末装置３０の連絡先を含む。承認先候補の情報は、承認候補である管理者が使用する第２端末装置２０の連絡先、及び、承認関連部署の担当者が使用する第３端末装置３０の連絡先を含む。配布先候補の情報は、配布候補である配布関連部署の担当者が使用する第３端末装置３０の連絡先を含む。
【００２４】
具体的には、記憶部４０３は、例えば、船舶識別情報に関連付けられた、船舶設計図面の種類、協議先候補の情報、承認先候補の情報、配布先候補の情報、設計者の氏名、設計者の所属部署、連絡先など、船舶の設計を開始する段階から終了まで変更される可能性の低い項目をマスタデータベースとして記憶する。また、記憶部４０３は、船舶設計図面、回答期限、登録日など、船舶の設計を開始する段階から終了まで変更される可能性の高い項目については、例えば船舶識別情報に関連付けられて、マスタデータベースとは別のデータベースであって、船舶識別情報を介してマスタデータベースに関連付けられたデータベースとして記憶する。
【００２５】
情報入力部４０４は、船舶識別情報と船舶の種類との入力を受け付ける。
読出部４０５は、船舶識別情報と船舶の種類とに関連付けられた承認先候補を読み出す。
選択部４０６は、承認先候補の中から必要な承認先を選択する。
通知部４０７は、承認先に船舶設計図面を通知する。
閲覧判定部４０８は、通知された承認先のそれぞれが船舶設計図面を閲覧したか否かを判定する。
異議受付部４０９は、承認先から船舶設計図面に係る異議の有無の入力を受け付ける。
図面配布部４１０は、承認後の電子データの船舶設計図面または承認後の印刷された船舶設計図面を配布関連部署に配布する。また、図面配布部４１０は、記憶部４０３が記憶するマスタデータベースの情報に基づいて船舶設計図面を出図する。
承認部４１１は、記憶部４０３が記憶するマスタデータベースの情報に基づいて船舶設計図面について船主または協会の承認を受ける。
【００２６】
第４端末装置５０は、図６に示すように、通信部５０１と、操作部５０２と、制御部５０３と、表示部５０４と、を備える。
通信部５０１は、図面管理装置４０と通信を行う。
操作部５０２は、外部からの操作に応じて、種々の情報の入力を受け付ける。例えば、操作部５０２は、営業担当者による操作に応じて、承認情報や否認情報などの入力を受け付ける。承認情報とは、船主や協会による承認が必要な船舶設計図面、すなわち承認図を承認したことを示す情報である。また、否認情報とは、承認図を否認したことを示す情報である。否認情報にはコメントが含まれている。
制御部５０３は、表示部５０４の表示を制御する。具体的には、例えば、制御部５０３は、承認情報やコメントなどを表示部５０４に表示させる。
表示部５０４は、制御部５０３による制御の下、承認情報や否認情報などを表示する。
【００２７】
第５端末装置６０は、図７に示すように、通信部６０１と、操作部６０２と、制御部６０３と、表示部６０４と、を備える。
通信部６０１は、図面管理装置４０と通信を行う。
操作部６０２は、外部からの操作に応じて、種々の情報の入力を受け付ける。例えば、操作部６０２は、船主や協会の担当者による操作に応じて、承認情報やコメントなどの入力を受け付ける。
制御部６０３は、表示部６０４の表示を制御する。具体的には、例えば、制御部６０３は、承認情報やコメントなどを表示部６０４に表示させる。
表示部６０４は、制御部６０３による制御の下、承認情報やコメントなどを表示する。
【００２８】
第６端末装置７０は、図８に示すように、通信部７０１と、操作部７０２と、制御部７０３と、表示部７０４と、を備える。
通信部７０１は、図面管理装置４０と通信を行う。
操作部７０２は、外部からの操作に応じて、種々の情報の入力を受け付ける。例えば、操作部７０２は、船主や協会の担当者が承認図を否認する際に入力するコメントを受け付ける。
制御部７０３は、表示部７０４の表示を制御する。具体的には、例えば、制御部７０３は、承認情報や否認情報などを表示部６０４に表示させる。
表示部７０４は、制御部７０３による制御の下、承認情報や否認情報などを表示する。
【００２９】
次に、本発明の一実施形態による図面管理システム１の処理について説明する。
ここでは、図９〜１４に示す本発明の一実施形態による図面管理システム１の処理フローについて説明する。
なお、ここでは、船舶設計図面の協議を行う場合、船舶設計図面の承認を行う場合、承認済みの船舶設計図面の配布を行う場合、船主または協会が承認済みの船舶設計図面の承認を行う場合の図面管理システム１の処理について説明する。
【００３０】
（協議を行う場合の処理）
まず、図９〜１０に示す船舶設計図面の協議を行う場合の図面管理システム１の処理について説明する。
【００３１】
なお、船舶の設計を開始する段階で、情報入力部４０４は、通信部４０１を介して、第１端末装置１０から船舶識別情報と、船舶設計図面の種類と、協議先候補の情報と、承認先候補の情報と、配布先候補の情報と、設計者の氏名と、設計者の所属部署と、設計者の連絡先と、を含む情報を受信する。情報入力部４０４は、受信した船舶識別情報と、船舶設計図面の種類と、協議先候補の情報と、承認先候補の情報と、配布先候補の情報と、設計者の氏名と、設計者の所属部署と、設計者の連絡先と、を関連付けて記憶部４０３に書き込む。このように、情報入力部４０４は、記憶部４０３にマスタデータベースを記憶させておく。
【００３２】
設計者は、協議対象の船舶設計図面を、例えば、第１端末装置１０を用いて作成する。そして、設計者は作成した協議対象の船舶設計図面を図面管理装置４０に対して起票する操作を行う。具体的には、例えば、設計者は、協議対象の船舶設計図面と、その船舶設計図面が示す船舶の船舶識別情報と、回答期限と、登録日と、を図面管理装置４０に登録する操作を操作部１０２に対して行う。
操作部１０２は、設計者の操作に応じて、協議対象の船舶設計図面と、船舶識別情報と、回答期限と、登録日とを含む情報を通信部１０１を介して、制御信号として制御部１０３に出力する。
制御部１０３は、制御信号を受ける。制御部１０３は、受けた制御信号に応じて、協議対象の船舶設計図面と、船舶識別情報と、回答期限と、登録日とを含む情報を通信部１０１を介して、図面管理装置４０に送信する（ステップＳ１）。
【００３３】
図面取得部４０２は、通信部４０１を介して、第１端末装置１０から協議対象の船舶設計図面と、船舶識別情報と、を受信する（ステップＳ２）。図面取得部４０２は、受信した協議対象の船舶設計図面と、船舶識別情報と、を関連付けてデータベースとして記憶部４０３に書き込む（ステップＳ３）。
また、情報入力部４０４は、通信部４０１を介して、第１端末装置１０から船舶識別情報と、回答期限と、登録日とを含む情報を受信する（ステップＳ４）。情報入力部４０４は、受信した船舶識別情報と、回答期限と、登録日とを関連付けて記憶部４０３に書き込む（ステップＳ５）。このとき、船舶識別情報を介して、協議対象の船舶設計図面と、回答期限と、登録日と、マスタデータベースにおいて船舶識別情報に関連付けられている情報とが関連づけられて記憶部４０３に書き込まれている。
【００３４】
読出部４０５は、記憶部４０３のマスタデータベースにおいて船舶識別情報と関連付けられている協議先候補の情報を記憶部４０３から取得する（ステップＳ６）。
読出部４０５は、取得した協議先候補の情報に含まれる協議候補である協議関連部署の担当者が使用する第３端末装置３０の連絡先を選択部４０６に出力する。
【００３５】
選択部４０６は、読出部４０５から協議先候補の情報に含まれる協議候補である協議関連部署の担当者が使用する第３端末装置３０の連絡先を受ける。選択部４０６は、受けた協議関連部署の担当者が使用する第３端末装置３０の連絡先の中から必要な連絡先を選択する。選択部４０６は、選択した連絡先を通知部４０７に出力する。
【００３６】
通知部４０７は、選択部４０６から協議関連部署の担当者が使用する第３端末装置３０の連絡先を受ける。通知部４０７は、船舶識別情報と、協議対象の船舶設計図面にアクセスするためのリンク先アドレスと、を協議関連部署の担当者が使用する第３端末装置３０の連絡先に通知する（ステップＳ７）。
【００３７】
制御部３０３は、図面管理装置４０から通知された協議対象の船舶設計図面のリンク先アドレスを、表示部３０４に表示させる。表示部３０４は、協議対象の船舶設計図面のリンク先アドレスを表示する。
【００３８】
協議関連部署の担当者は、表示部３０４に表示されたそれらの通知を見て、リンク先アドレスにアクセスする操作を第３端末装置３０に対して行う。
操作部３０２は、担当者の操作に応じて、通信部３０１を介してリンク先アドレスにアクセスする（ステップＳ８）。このとき、第３端末装置３０は、リンク先アドレスにアクセスしたことを図面管理装置４０に通知する。図面管理装置４０は、第３端末装置３０から通知を受けると、例えば、第３端末装置３０の識別情報を読み込み、第３端末装置３０がアクセスしたことを記録する。具体的には、図面管理装置４０は、担当者が第３端末装置３０にログインする際にその担当者のユーザＩＤ（ＩＤｅｎｔｉｆｉｃａｔｉｏｎ）をＪａｖａＳｃｒｉｐｔ（登録商標）などによって取得し、第３端末装置３０からそのユーザＩＤの担当者がアクセスしたことを記録する。
制御部３０３は、リンク先アドレスの協議対象の船舶設計図面を表示部３０４に表示させる。
このとき、担当者は、必要に応じて操作部３０２に対して操作を行い、図１５に示すように、船舶設計図面にコメントや修正を記入してもよい。通常、リンク先アドレスの協議対象の船舶設計図面を開いてコメントを記入してもサーバのデータは書き替えられないが、本発明の一実施形態による図面管理装置４０のデータが書き替わるものである。
担当者は、船舶設計図面の確認が終わると、操作部３０２に対して船舶設計図面の確認を完了する操作を行う。船舶設計図面の確認を完了する操作とは、例えば、必要に応じて確認状況欄にコメントを記入し、コメントを記入した場合には船舶設計図面の「コメントあり」ボタンを押下し、コメントを記入しない場合には船舶設計図面の「コメントなし」ボタンを押下する操作である。この操作により、リンク先アドレスの協議対象の船舶設計図面にコメントが記入され、そのコメントが図面管理装置４０に記録される。
担当者が操作部３０２に対して船舶設計図面の確認を完了する操作を行うと、操作部３０２は、通信部３０１を介して、確認を完了する操作に応じた制御信号を図面管理装置４０に送信する（ステップＳ９）。
【００３９】
閲覧判定部４０８は、確認を完了する操作に応じた制御信号を第３端末装置３０から通信部４０１を介して受信する（ステップＳ１０）。閲覧判定部４０８は、受信した制御信号に基づいて、確認状況を判定する（ステップＳ１１）。例えば、閲覧判定部４０８は、制御信号を受信した場合に確認済みと判定し、制御信号を受信しない場合には未確認と判定する。担当者が通知を見る操作を行った時点でその操作を行ったことを示す制御信号を第３端末装置３０から図面管理装置４０に送信し、閲覧判定部４０８は、その制御信号を受信した場合に通知を見たと判定し、その制御信号を受信しない場合に通知を見ていないと判定する。
閲覧判定部４０８は、判定結果を記憶部４０３に書き込む（ステップＳ１２）。
【００４０】
異議受付部４０９は、第３端末装置３０から図面管理装置４０に送信される制御信号に基づいて、コメントの有無を判定する（ステップＳ１３）。具体的には、例えば、異議受付部４０９は、制御信号に「コメントあり」ボタンの押下の情報が含まれている場合に、コメントありと判定し、制御信号に「コメントなし」ボタンの押下の情報が含まれている場合にコメントなしと判定する。
異議受付部４０９は、判定結果を記憶部４０３に書き込む（ステップＳ１４）。
閲覧判定部４０８は、異議受付部４０９による記憶部４０３への判定結果の書き込みを完了すると、閲覧判定部４０８のステップＳ１１の判定結果が確認済みである場合に、確認済みであることを示す情報を第１端末装置１０に送信する（ステップＳ１５）。
【００４１】
制御部１０３は、通信部１０１を介して図面管理装置４０から確認済みであることを示す情報を受信する（ステップＳ１６）。
【００４２】
なお、設計者は、任意のタイミングで図面管理装置４０にアクセスし協議関連部署の担当者による協議の状況を表示部１０４に表示させる操作を第１端末装置１０に対して行うことができる。
操作部１０２は、設計者により操作に応じた制御信号を制御部１０３に出力する。
制御部１０３は、制御信号に応じて通信部１０１を介して図面管理装置４０にアクセスし、協議関連部署の担当者による協議の状況を取得する。制御部１０３は、取得した協議関連部署の担当者による協議の状況を表示部１０４に表示させる。表示部１０４は、協議関連部署の担当者による協議の状況を表示する。
【００４３】
このようにすれば、図面管理システム１は、協議対象の船舶設計図面を協議関連部署に送付することができ、各協議関連部署の担当者の確認の結果を設計者にフィードバックすることができる。
【００４４】
（承認を行う場合の処理）
次に、図１１〜１２に示す船舶設計図面の承認を行う場合の図面管理システム１の処理について説明する。
設計者は、承認対象の船舶設計図面を作成する。そして、設計者は作成した承認対象の船舶設計図面を図面管理装置４０に対して新たに起票する操作を行う。具体的には、例えば、設計者は、承認対象の船舶設計図面と、船舶識別情報と、を登録する操作を操作部１０２に対して行う。
操作部１０２は、設計者の操作に応じて、承認対象の船舶設計図面と、船舶識別情報と、を含む情報を通信部１０１を介して、制御信号として制御部１０３に出力する。
制御部１０３は、制御信号を受ける。制御部１０３は、受けた制御信号に応じて、承認対象の船舶設計図面と、船舶識別情報と、を含む情報を通信部１０１を介して、図面管理装置４０に送信する（ステップＳ２１）。
なお、記憶部４０３は、各船舶設計図面について、図１６に示すような、担当者（図１６における名前）と連絡先（図１６におけるメールアドレス）を含む情報とを関連付けた情報を、協議を行ったときに記憶している。または、記憶部４０３に担当者と連絡先を含む情報とを関連付けた情報を予め書き込むものであってもよい。設計者が図面管理装置４０に対して新たに起票する場合、制御部１０３は、記憶部４０３が記憶している担当者と連絡先とを表示部１０４に表示させる。表示部１０４は、図１６に示すような、担当者と連絡先を含む情報とを関連付けた情報を表示する。そして、操作部１０２は、表示部１０４が表示する図１６に示すような、担当者と連絡先を含む情報から担当者と連絡先とを選択する操作を受け付けることにより、設計者が操作部１０２を介して承認対象の船舶設計図面の承認先を選択できるようにしてもよい。
【００４５】
図面取得部４０２は、通信部４０１を介して、第１端末装置１０から承認対象の船舶設計図面と、船舶識別情報と、を受信する（ステップＳ２２）。図面取得部４０２は、受信した承認対象の船舶設計図面と、を船舶識別情報と関連付けて記憶部４０３に書き込む（ステップＳ２３）。
また、情報入力部４０４は、通信部４０１を介して、第１端末装置１０から船舶識別情報と、回答期限と、登録日とを含む情報を受信する（ステップＳ２４）。情報入力部４０４は、受信した船舶識別情報と、回答期限と、登録日とを含む情報を、船舶識別情報と、回答期限と、登録日とを関連付けて記憶部４０３に書き込む（ステップＳ２５）。このとき、船舶識別情報を介して、協議対象の船舶設計図面と、回答期限と、登録日と、マスタデータベースにおいて船舶識別情報に関連付けられている情報とが関連づけられて記憶部４０３に書き込まれている。
【００４６】
読出部４０５は、記憶部４０３のマスタデータベースにおいて船舶識別情報と関連付けられている承認協議先候補の情報を記憶部４０３から取得する（ステップＳ２６）。
読出部４０５は、取得した承認先候補の情報含まれる承認候補である承認協議関連部署の担当者が使用する第３端末装置３０の連絡先を選択部４０６に出力する。
【００４７】
選択部４０６は、読出部４０５から承認先候補の情報に含まれる承認候補である承認関連部署の担当者が使用する第３端末装置３０の連絡先を受ける。選択部４０６は、受けた承認関連部署の担当者が使用する第３端末装置３０の連絡先の中から必要な連絡先を選択する（ステップＳ２７）。
具体的には、例えば、複数の承認関連部署があり、承認者が階層化されて上位の承認者と下位の承認者とが含まれている場合（すなわち、所属に関わらず、上位の承認者が承認した場合に下位の承認者による承認が不要になるような場合）、選択部４０６は、上位の承認者のみを承認先として選択する、または、上位と下位の承認者の両方の承認者を承認先として選択することができる。また、例えば、複数の関連部署から承認が必要な場合、選択部４０６は、複数の承認者を承認先として選択し、全員もしくは最低限必要な部署からの承認を待ってもよい。また、例えば、１つの承認関連部署における承認者が同一の階層に複数含まれ、そのうちの一人が承認すればよい場合、選択部４０６は、複数の承認者の誰か一人を承認先として選択してもよい。
選択部４０６は、選択した連絡先を通知部４０７に出力する。
【００４８】
通知部４０７は、選択した連絡先に、船舶識別情報と、船舶設計図面にアクセスするためのリンク先アドレスとを通知する（ステップＳ２８）。
ここでは、通知部４０７は、下位の承認者である担当者の第３端末装置３０にリンク先情報を通知するものとする。
【００４９】
制御部３０３は、図面管理装置４０から通知された船舶識別情報と、船舶設計図面にアクセスするためのリンク先アドレスとを、表示部３０４に表示させる。表示部３０４は、船舶識別情報と、船舶設計図面にアクセスするためのリンク先アドレスを表示する。
【００５０】
承認関連部署の担当者は、表示部３０４に表示されたそれらの通知を見て、リンク先情報にアクセスする操作を第３端末装置３０に対して行う。
操作部３０２は、担当者の操作に応じて、通信部３０１を介してリンク先にアクセスする（ステップＳ２９）。
制御部３０３は、リンク先の船舶設計図面を表示部３０４に表示させる。
担当者は、船舶設計図面の確認が終わると、操作部３０２に対して船舶設計図面の承認または否認の操作を行う。船舶設計図面の承認の操作とは、例えば、第３端末装置３０に表示される「サイン完了」ボタンを押下する操作である。また、例えば、船舶設計図面の承認の操作とは、第３端末装置３０を介して電子印の捺印や電子ペンによるサインの記入などを承認対象の船舶設計図面に対して行う操作である。また、船舶設計図面の否認の操作とは、例えば、第３端末装置３０に表示される「差戻し」ボタンを押下する操作である。
担当者が承認の操作、例えば「サイン完了」ボタンを押下する操作を行った場合、操作部３０２は、その操作に応じた信号を入力する。制御部３０３は操作部３０２が入力した信号に応じて承認信号を生成する。
また、担当者が否認の操作、例えば「差戻し」ボタンを押下する操作を行った場合、操作部３０２は、その操作に応じた信号を入力する。制御部３０３は操作部３０２が入力した信号に応じて否認信号を生成する。
制御部３０３は、生成した信号が承認信号であるか否認信号であるかを判定する（ステップＳ３０）。制御部３０３は、生成した信号が承認信号である場合（ステップＳ３０において承認信号）、生成した承認信号を通信部３０１を介して図面管理装置４０に送信する（ステップＳ３１）。
【００５１】
通知部４０７は、第３端末装置３０から承認信号を受信すると（ステップＳ３２）、第２端末装置２０に船舶識別情報と、船舶設計図面にアクセスするためのリンク先アドレスとを通知する（ステップＳ３３）。
【００５２】
制御部２０３は、図面管理装置４０から通知された船舶識別情報と、船舶設計図面にアクセスするためのリンク先アドレスとを、表示部２０４に表示させる。表示部２０４は、船舶識別情報と、船舶設計図面にアクセスするためのリンク先アドレスを表示する。
【００５３】
承認関連部署の担当者は、表示部２０４に表示されたそれらの通知を見て、リンク先情報にアクセスする操作を第２端末装置２０に対して行う。
操作部２０２は、担当者の操作に応じて、通信部２０１を介してリンク先にアクセスする（ステップＳ３４）。
制御部２０３は、リンク先の船舶設計図面を表示部２０４に表示させる。
担当者は、船舶設計図面の確認が終わると、操作部２０２に対して船舶設計図面の承認または否認の操作を行う。船舶設計図面の承認の操作とは、例えば、第２端末装置２０に表示される「サイン完了」ボタンを押下する操作である。また、例えば、船舶設計図面の承認の操作とは、第２端末装置２０を介して電子印の捺印や電子ペンによるサインの記入などを承認対象の船舶設計図面に対して行う操作である。また、船舶設計図面の否認の操作とは、例えば、第２端末装置２０に表示される「差戻し」ボタンを押下する操作である。
担当者が承認の操作を行った場合、操作部２０２は、その操作に応じた信号を入力する。制御部２０３は操作部２０２が入力した信号に応じて承認信号を生成する。
また、担当者が否認の操作を行った場合、操作部２０２は、その操作に応じた信号を入力する。制御部２０３は操作部２０２が入力した信号に応じて否認信号を生成する。
制御部３０３は、生成した信号が承認信号であるか否認信号であるかを判定する（ステップＳ３５）。制御部２０３は、生成した信号が承認信号であると判定した場合、例えば「サイン完了」ボタンが押下され承認済み（図１７では「サイン済」と記載）と判定した場合（ステップＳ３５において承認信号）、生成した承認信号を通信部２０１を介して図面管理装置４０に送信する（ステップＳ３６）。
担当者は、承認対象の船舶設計図面の確認が終わると、操作部２０２に対して船舶設計図面の承認の操作を行う。
【００５４】
制御部３０３は、生成した信号が否認信号である場合（ステップＳ３０において否認信号）、生成した否認信号をコメントと共に通信部３０１を介して図面管理装置４０に送信する（ステップＳ３７）。
また、制御部２０３は、生成した信号が否認信号であると判定した場合、例えば「差戻し」ボタンが押下され否認されたと判定した場合（ステップＳ３５において否認信号）、生成した否認信号をコメントと共に通信部３０１を介して図面管理装置４０に送信する（ステップＳ３８）。
【００５５】
通知部４０７は、否認信号を受信すると、第１端末装置１０に否認信号とコメントとを通知する（ステップＳ３９）。
【００５６】
閲覧判定部４０８は、承認の操作に応じた制御信号を第２端末装置２０から通信部４０１を介して受信する（ステップＳ４０）。閲覧判定部４０８は、受信した制御信号に基づいて、承認状況を判定する（ステップＳ４１）。例えば、閲覧判定部４０８は、制御信号を受信した場合に承認済みと判定し、制御信号を受信しない場合には未承認と判定する。
閲覧判定部４０８は、判定結果を記憶部４０３に書き込む（ステップＳ４２）。
【００５７】
異議受付部４０９は、第２端末装置２０から図面管理装置４０に送信される制御信号に基づいて、コメントの有無を判定する（ステップＳ４３）。具体的には、例えば、異議受付部４０９は、制御信号に例えば「コメントあり」ボタンの押下の情報が含まれている場合に、コメントありと判定し、制御信号に「コメントなし」ボタンの押下の情報が含まれている場合に、コメントなしと判定する。
異議受付部４０９は、判定結果を記憶部４０３に書き込む（ステップＳ４４）。
通知部４０７は、異議受付部４０９による記憶部４０３への判定結果の書き込みを完了すると、閲覧判定部４０８のステップＳ３５の判定結果が承認済みである場合に、第１端末装置１０に承認済みであることを示す情報を送信する（ステップＳ４５）。
【００５８】
制御部１０３は、通信部１０１を介して図面管理装置４０から承認済みであることを示す情報を受信する（ステップＳ４６）。
設計者は、図面管理装置４０にアクセスし承認済みの結果を表示部１０４に表示させる操作を第１端末装置１０に対して行う。
操作部１０２は、設計者により操作に応じた制御信号を制御部１０３に出力する。
制御部１０３は、制御信号に応じて通信部１０１を介して図面管理装置４０にアクセスし、承認済みの結果を取得する。制御部１０３は、取得した承認済みの結果を表示部１０４に表示させる（ステップＳ４７）。表示部１０４は、承認済みの結果を表示する。
【００５９】
このようにすれば、図面管理システム１は、承認対象の船舶設計図面を承認関連部署に送付することができ、各承認関連部署の担当者の承認の結果を設計者にフィードバックすることができる。
【００６０】
なお、本発明の別の実施形態では、承認者が階層化されて上位の承認者と下位の承認者とが含まれている場合、図面管理システム１は、下位の承認者の承認を行わずに上位の承認者が承認した際に、下位の承認者の承認を不要な状態にするものであってもよい。
【００６１】
（配布を行う場合の処理）
次に、図１２に示す船舶設計図面の配布を行う場合の図面管理システム１の処理について説明する。
設計者は承認済みの船舶設計図面を図面管理装置４０に対して新たに起票する操作を行う。具体的には、例えば、設計者は、承認済みの船舶設計図面の配布先と、電子データで配布するか印刷物で配布するかを登録する操作を操作部１０２に対して行う。
操作部１０２は、設計者の操作に応じて、承認済みの船舶設計図面の電子データとその配布先を通信部１０１を介して、制御信号として制御部１０３に出力する。また、操作部１０２は、設計者の操作に応じて、承認済みの船舶設計図面の印刷物とその配布先を通信部１０１を介して、制御信号として制御部１０３に出力する。
制御部１０３は、制御信号を受ける。制御部１０３は、受けた制御信号に応じて、承認済みの船舶設計図面の電子データとその配布先を含む情報を図面管理装置４０に送信する（ステップＳ５１）。また、制御部１０３は、受けた制御信号に応じて、承認済みの船舶設計図面の電子データとその配布先とを印刷業者に送付し、承認済みの船舶設計図面を印刷物として配布先に郵送する指示を図面管理装置４０に送信する（ステップＳ５２）。
【００６２】
図面配布部４１０は、承認済みの船舶設計図面の電子データとその配布先の情報を受信する（ステップＳ５３）。図面配布部４１０は、受信した承認済みの船舶設計図面の電子データを配布先に送信する（ステップＳ５４）。
また、図面配布部４１０は、承認済みの船舶設計図面の印刷物とその配布先とを印刷業者に送付する指示を受信する（ステップＳ５５）。図面配布部４１０は、受信した指示を図示していない印刷業者の端末装置に送付する（ステップＳ５６）。
図面配布部４１０は、例えば、図１８に示すように、送付内容を記憶部４０３に書き込む（ステップＳ５７）。なお、図面管理装置４０から印刷業者の端末装置へ送信される情報は、図１９に示すように、製本時のとじ方（図１９では、左２とじ）、納期などの上記とは別の情報を含むものであってもよい。
印刷業者は、承認済みの船舶設計図面の電子データをプロッターで印刷する。印刷業者は、印刷された承認済みの船舶設計図面を配布先に郵送する。
【００６３】
このようにすれば、図面管理システム１は、承認済みの船舶設計図面を配布関連部署に送付することができる。
【００６４】
（船主または協会が承認済みの船舶設計図面の承認を行う場合の処理）
次に、図１４に示した船主または協会の担当者が船舶設計図面の承認を行う場合の図面管理システム１の処理について説明する。
なお、船舶設計図面には、船主または協会の担当者が承認を行う承認図と、船主または協会の担当者が参照するのみで承認の不要な参考図とがある。承認図とするか参考図とするかは、設計段階で決定される。したがって、出図後の船主または協会の担当者が承認を行う段階では承認図であるか参考図であるかは既に決定されている。以下では、船主の担当者を例に処理フローを示す。協会の担当者の場合の処理については、船主の担当者を協会の担当者に置き換えることで同様に考えることができる。また、船主と協会の両方が承認の処理を行う場合には、両方の承認が並行して行われる。
【００６５】
記憶部４０３は、承認図及び参考図を記憶する。具体的には、記憶部４０３は、例えば図２０に示す船舶を設計する設計会社内に設けられた記憶部である。設計者が第１端末装置１０を介して図１１に示した処理フローによって承認された船舶設計図面（出図に係る情報の１つ）である承認図及び参考図に、船舶の船舶識別情報（出図に係る情報の１つ）と、船舶設計図面の種類（出図に係る情報の１つ）と、営業担当者が使用する第４端末装置５０の通信アドレス（出図に係る情報の１つ）と、承認先である船主の担当者の連絡先（出図に係る情報の１つ）と、回答期限（出図に係る情報の１つ）とを関連付けて、マスタデータベースとして記憶部４０３に書き込む。このマスタデータベースの船舶設計図面は、船舶設計図面が更新される度に、最新の船舶設計図面のデータに書き替えられる。なお、記憶部４０３が記憶する船舶設計図面へのアクセスは、インターネットからファイヤーウォールを介して行うように設計されている。また、記憶部４０３が記憶する船舶設計図面にはパスワードが設定されている。このように、記憶部４０３が記憶する船舶設計図面についてのセキュリティが確保されている。
【００６６】
読出部４０５は、記憶部４０３にマスタデータベースが書き込まれると、そのマスタデータベースが示す船舶の営業担当者が使用する第４端末装置５０に出図されたことを知らせる通知メールを送信する（ステップＳ６１）。この通知メールには、承認図のアドレスが含まれる。
【００６７】
制御部５０３は、通信部５０１を介して図面管理装置４０から通知メールを受信する（ステップＳ６２）。表示部５０４は、図面管理装置４０から受信した通知メールを表示する。営業担当者は、通知メールを確認し、操作部５０２に対して承認図のアドレスにアクセスする操作を行う。制御部５０３は、通信部５０１を介して受信した通知メールに含まれる承認図のアドレスにアクセスする。制御部５０３は、アドレスが示す接続先の承認図を特定し、特定した承認図を表示部５０４に表示させる（ステップＳ６３）。
【００６８】
営業担当者は、表示部５０４が表示する承認図の内容を確認する。営業担当者は、内容に問題がある場合には、設計者に連絡し修正を依頼する。また、営業担当者は、内容に問題ないと判断した場合、操作部５０２を操作して送付番号を付与する。そして、営業担当者は、船主の担当者が所持する第５端末装置６０に承認依頼メールを送信する操作を行う。第５端末装置６０に承認依頼メールを送信する操作とは、例えば、営業担当者が表示部５０４に表示された「送信」ボタンを押下する操作である。なお、承認依頼メールには、承認図にアクセスするためのアドレスおよび承認図についての承認を依頼する内容が含まれている。
制御部５０３は、営業担当者による承認依頼メールを送信する操作に応じて、承認依頼メールを第５端末装置６０に送信する（ステップＳ６４）。
【００６９】
制御部６０３は、通信部６０１を介して第４端末装置５０から承認依頼メールを受信する（ステップＳ６５）。表示部６０４は、第４端末装置５０から受信した承認依頼メールを表示する。船主の担当者は、承認依頼メールを確認し、操作部６０２に対して承認図のアドレスにアクセスする操作を行う。
具体的には、船主の担当者は、アドレスにアクセスする操作を行う。すると、表示部６０４は、例えば、図２１に示すようなログイン画面を表示する。船主の担当者は、表示部６０４が表示するログイン画面において、ユーザＩＤ及びパスワードを入力する操作を行う。なお、パスワードについては、有効期限が設定されている。これにより、第５端末装置６０は、承認図にアクセスすることができるようになる。第５端末装置６０が承認図にアクセスしたときに表示部５０４が表示する表示画面は、図２２に示すような画面である。この画面において、船主の担当者が図面を示すファイル名（図２２では、「Ｄｒａｗｉｎｇ」の欄に記載されているＰＤＦ（Ｐｏｒｔａｂｌｅ  Ｄｏｃｕｍｅｎｔ  Ｆｏｒｍａｔ）ファイル名）を選択する操作を行うことによって、表示部５０４は、例えば図２３に示すような図面番号、図面名称、注文番号、設計者のサイン、承認者のサインなどが記載された承認図を表示する。
【００７０】
制御部６０３は、通信部６０１を介して受信した承認依頼メールに含まれる承認図のアドレスにアクセスする。制御部６０３は、アドレスが示す接続先の承認図を特定し、特定した承認図を表示部６０４に表示させる（ステップＳ６６）。船主の担当者は、表示部６０４が表示する承認図の内容を確認する。船主の担当者は、内容に問題がない場合に承認と判定する。また、船主の担当者は、内容に問題がある場合に否認と判定する。
船主の担当者は、承認と判定した場合、承認の操作、例えば表示部６０４に表示される返信ステータスのスイッチを「承認」に切替えて「完了」ボタンを押下する操作を行う。表示部６０４に表示される「完了」ボタンが押下されると、制御部６０３は、通信部６０１を介して、船主の担当者が入力完了したことを示す情報を船主の会社内の記憶部に書き込む（ステップＳ６７）。船主の担当者の上長は、入力情報を確認し、例えば表示部７０４に表示される「送信」ボタンを押下する（ステップＳ６８）。このとき承認を行う上長は、例えば、図２４に示す上長を設定する設定画面において、船主の担当者を選択し、その船主の担当者の上長が選択されることによって決定されるものであってよい。また、図２４に示す設定画面において設定された設定内容は、例えば、Ｃｏｏｋｉｅ（クッキー）によってその設定を行った端末に記憶され、次回からは、同一の設定がされた状態で呼び出される。なお、ネットワーク上の記憶部に記憶して読み出すものであってもよい。
制御部７０３は、「送信」ボタンの押下に応じて通信部７０１を介して第５端末装置６０に承認を通知する（ステップＳ６９）。制御部６０３は、承認の通知を受けると、その承認の通知に応じて、通信部６０１を介して承認情報を図面管理装置４０に送信する（ステップＳ７０）。
承認部４１１は、通信部４０１を介して第５端末装置６０から承認情報を受信する（ステップＳ７１）。承認部４１１は、受信した承認情報に応じて、記憶部４０３のマスタデータベースにおける承認図についての承認状況を承認に書き替える（ステップＳ７２）。図面管理システム１は、一連の処理を完了する。
【００７１】
また、船主の担当者は、否認と判定した場合、コメントを入力し、否認の操作、例えば表示部６０４に表示される返信ステータスのスイッチを「否認」に切替えて「完了」ボタンを押下する操作を行う。表示部６０４に表示される「完了」ボタンが押下されると、制御部６０３は、通信部６０１を介して、船主の担当者がコメントを入力し完了したことを示す情報を船主の会社内の記憶部に書き込まれ、上長の承認処理へと進む（ステップＳ７３）。
具体的には、船主の担当者は、例えば表示部６０４が表示する図２５に示す画面において、「コメントシート出力」ボタンを押下する。制御部６０３は、船主の担当者による「コメントシート出力」ボタンの押下に応じて、例えば図２６に示す図面番号、図面名称、送付日などの基本情報がデータベースから抽出され記入されたテンプレートを表示する。船主の担当者は、操作部６０２に対してコメントを入力する操作を行う。操作部６０２は、船主の担当者によるコメントを入力する操作に応じて、テンプレートにコメントを入力する。また、船主の担当者は、例えば図２７に示すように、ドキュメント番号を入力する操作を操作部６０２に対して行う。また、船主の担当者は、例えば図２７に示すような送信区分を選択する操作を行う。そして、船主の担当者がコメントを一時的に記録する例えば図２７に示すような「一時保存」ボタンを押下すると、制御部６０３は、入力されたコメントを否認情報として船主の会社内の記憶部に書き込む。そして、船主の担当者が例えば図２７に示すような「完了」ボタンを押下すると入力されている情報が船主の会社内の記憶部に書き込まれ、上長の承認処理へと進む。
【００７２】
船主の担当者の上長は、否認情報を確認し、例えば表示部７０４に表示される「送信」ボタンを押下する（ステップＳ７４）。制御部７０３は、「送信」ボタンの押下に応じて通信部７０１を介して第５端末装置６０に否認を通知する（ステップＳ７５）。制御部６０３は、否認の通知を受けると、その否認の通知に応じて、通信部６０１を介して否認情報を図面管理装置４０に送信する（ステップＳ７６）。
承認部４１１は、通信部４０１を介して第５端末装置６０から否認情報を受信（承認を受けることができない場合の例）する（ステップＳ７７）。制御部１０３は、受信した否認情報に応じて、その否認情報に含まれるコメントを表示部１０４に表示させる。設計者は、表示部１０４が表示するコメントを見て、承認図を修正する。そして、制御部１０３は、ステップＳ２１の処理に戻し、図１１〜１２に示した承認の処理（ステップＳ２１〜Ｓ４７）を行う。
そして、図１１〜１２に示した管理者や担当者などの承認の処理によって新たに承認された船舶設計図面について、ステップＳ６１から始まる一連の処理をステップＳ７２の処理に至るまで繰り返す。
このようにすれば、図面管理システム１は、図１１〜１２に示す承認の処理によって出図された船舶設計図面のデータベースをそのまま使用するため、船主の担当者が最新の正しい図面で設計内容を確認し承認することができる。
【００７３】
なお、本発明の別の実施形態による図面管理システム１は、次の機能を備えていてもよい。
例えば、図面管理システム１は、各図面の承認状況、コメント内容、送受信日を一括管理し、船主の担当者と造船所で情報を共有するものであってもよい。また、例えば、図面管理システム１は、承認対象の船舶設計図面または参考図面とは異なる造船所の図面管理システムが監視する船舶設計図面と連携して、船舶設計図面の変更、追加、削除の情報を反映させてもよい。また、例えば、図面管理システム１は、承認図リスト、承認状況など各種帳票を出力するものであってもよい。
また、例えば、図面管理システム１は、図２８に示すように、各承認図についての承認状況を一覧表として表示する機能を備えていてもよい。この場合、図面管理システム１は、図２８に示す一覧表における欄５０４ａに示すように、承認された承認図を“Ａ”で示し、否認された承認図を“Ｂ”で示すものであってもよい。また、この場合、図面管理システム１は、図２８に示す一覧表における欄５０４ｂに示すように、承認図に対する最終処理から一定の日数が経過した場合に、その経過日数を表示するとともに、黄色や赤色などの色を用いて視覚的に警告するものであってもよい。また、この場合、図面管理システム１は、図２８に示す一覧表における欄５０４ｃに示す検索条件を設定して、その設定した検索条件に合う承認図のみを表示させるものであってもよい。検索条件の設定は、例えば、オーダ番号、送付先、誰が承認する必要があるかを示す承認区分、各部門を示す図面シンボル、日付（送信日、作成日など）、キーワード（図面名称、図面番号、船主や協会独自の番号など）、送付済み、未送付、承認されている、否認されている、最初からやり直しを指示する不承認、コメントの有無、承認状況（上長が承認中など）、送付の準備中などを示す条件設定である。図２８に示す一覧表は、設計を担当する会社と船主である会社とで情報を共有している。そのため、それら２つの会社間で承認状況を共有できスムーズに意思の疎通を図ることができる。
また、例えば、図面管理システム１は、図２９に示すような承認状況やデータの授受の履歴を示す一覧表、図３０に示すような承認図の一覧表などを指定して表示させるものであってもよい。これにより、種々の履歴の一元管理が可能となる。
また、例えば、図面管理システム１は、新たに承認する上長を設定することができ、上長を追加する設定の機能を備えるものであってもよい。
【００７４】
なお、本発明の別の実施形態において、図面管理システム１は、例えば、船主の担当者が否認と判定した場合のように船舶設計図面の新たな登録までに時間が掛かる場合、出図予定日をマスタデータベースに登録する出図予定日登録部を備えるものであってもよい。
【００７５】
以上、本発明の一実施形態による図面管理システム１について説明した。
図面管理システム１は、記憶部４０３と、図面配布部４１０（出図処理部）と、承認部４１１と、を備える。記憶部４０３は、船舶の設計に係る図面の出図に係る情報をマスタデータベースとして記憶する。図面配布部４１０は、マスタデータベースの情報に基づいて図面を出図する。承認部４１１は、マスタデータベースの情報に基づいて船舶設計図面について船主または協会の承認を受ける。
このようにすれば、船舶の設計に係る図面が設計途中で変更された場合であっても、出図した際に用いた最も信頼のできるデータを使用して船舶の識別情報、船舶の設計に係る図面の種類などの関連付けを行う。その結果、本発明の一実施形態による図面管理装置４０は、最新の船舶の設計に係る図面を正しく管理することができる。
【００７６】
また、図面管理システム１は、承認先候補の中から必要な承認先を選択する選択部４０６を備える。
このようにすれば、選択部４０６によりそれぞれの最新の船舶の設計に係る図面の承認先を適切に選択することができる。その結果、図面管理システム１は、承認対象の船舶の設計に係る図面を正しい承認先に送付することができる。
【００７７】
また、図面管理システム１は、通知された承認先のそれぞれが船舶の設計に係る図面を閲覧したか否かを判定する閲覧判定部４０８を備える。
このようにすれば、閲覧判定部４０８により、承認者が承認したか否かを正しく判定することができ、承認者が承認し終えたか否かを知ることができる。その結果、設計者は、自ら承認が完了したか否かを知るために、図面管理装置４０にアクセスしなくても承認の完了を知ることができる。
【００７８】
なお、本発明の一実施形態による図面管理システム１では、制御部１０３がステップＳ２１の処理に戻し、図面管理システム１がステップＳ２１〜Ｓ４７の処理を行うものとして説明した。しかしながら、本発明の別の実施形態による図面管理システム１は、ステップＳ２１〜Ｓ４７の処理を行う機能部とは別に、承認部４１１が船主または協会の承認を受けることができない場合に船舶の再設計された図面について承認者の承認を受け付ける操作部を備え、その操作部が承認部４１１が船主または協会の承認を受けることができない場合に船舶の再設計された図面について承認者の承認を受け付け、承認状態を承認に書き替えるものであってもよい。
【００７９】
なお、設計者は、協議対象の船舶設計図面、その船舶設計図面が示す船舶の船舶識別情報、船舶設計図面の種類、協議先である協議関連部署を示す情報、回答期限以外に、例えば、登録日、設計者の氏名、設計者の所属部署、連絡先などの別の情報を登録する操作を操作部１０２に対して行う。そして、ステップＳ１〜ステップＳ７の処理において、ステップＳ１〜ステップＳ７の処理を行う各機能部が、登録日、設計者の氏名、設計者の所属部署、連絡先などの別の情報についても処理を行ってもよい。この場合、制御部３０３は、例えば、図３１に示すように、設計者（図３１では作図担当者）の氏名、設計者の所属部署、連絡先などの情報を表示部３０４に表示させる。
【００８０】
なお、設計者は、承認対象の船舶設計図面、その船舶設計図面が示す船舶の船舶識別情報、船舶設計図面の種類、承認先である承認関連部署を示す情報、回答期限以外に、例えば、登録日、設計者の氏名、設計者の所属部署、連絡先などの別の情報を登録する操作を操作部１０２に対して行う。そして、ステップＳ２１〜ステップＳ２８の処理において、ステップＳ２１〜ステップＳ２８の処理を行う各機能部が、登録日、設計者の氏名、設計者の所属部署、連絡先などの別の情報についても処理を行ってもよい。
【００８１】
なお、本発明の実施形態における処理は、適切な処理が行われる範囲において、処理の順番が入れ替わってもよい。
【００８２】
本発明の実施形態について説明したが、上述の図面管理システム１、第１端末装置１０、第２端末装置２０、第３端末装置３０、図面管理装置４０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図３２は、少なくとも１つの実施形態に係るコンピュータの構成を示す概略ブロック図である。
コンピュータ５は、図３２に示すように、ＣＰＵ６、メインメモリ７、ストレージ８、インターフェース９を備える。
例えば、上述の図面管理システム１、第１端末装置１０、第２端末装置２０、第３端末装置３０、図面管理装置４０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００８３】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００８４】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００８５】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００８６】
１・・・図面管理システム
５・・・コンピュータ
６・・・ＣＰＵ
７・・・メインメモリ
８・・・ストレージ
９・・・インターフェース
１０・・・第１端末装置
２０・・・第２端末装置
３０・・・第３端末装置
４０・・・図面管理装置
１０１、２０１、３０１、４０１・・・通信部
１０２、２０２、３０２・・・操作部
１０３、２０３、３０３・・・制御部
１０４、２０４、３０４・・・表示部
４０２・・・図面取得部
４０３・・・記憶部
４０４・・・情報入力部
４０５・・・読出部
４０６・・・選択部
４０７・・・通知部
４０８・・・閲覧判定部
４０９・・・異議受付部
４１０・・・図面配布部
４１１・・・認証部
【図１】
2019018649.tif 000003
【図２】
2019018649.tif 000004
【図３】
2019018649.tif 000005
【図４】
2019018649.tif 000006
【図５】
2019018649.tif 000007
【図６】
2019018649.tif 000008
【図７】
2019018649.tif 000009
【図８】
2019018649.tif 000010
【図９】
2019018649.tif 000011
【図１０】
2019018649.tif 000012
【図１１】
2019018649.tif 000013
【図１２】
2019018649.tif 000014
【図１３】
2019018649.tif 000015
【図１４】
2019018649.tif 000016
【図１５】
2019018649.tif 000017
【図１６】
2019018649.tif 000018
【図１７】
2019018649.tif 000019
【図１８】
2019018649.tif 000020
【図１９】
2019018649.tif 000021
【図２０】
2019018649.tif 000022
【図２１】
2019018649.tif 000023
【図２２】
2019018649.tif 000024
【図２３】
2019018649.tif 000025
【図２４】
2019018649.tif 000026
【図２５】
2019018649.tif 000027
【図２６】
2019018649.tif 000028
【図２７】
2019018649.tif 000029
【図２８】
2019018649.tif 000030
【図２９】
2019018649.tif 000031
【図３０】
2019018649.tif 000032
【図３１】
2019018649.tif 000033
【図３２】
2019018649.tif 000034